(57)【要約】【課題】立木を傷めることなく安全に伐採木を搬出できる伐採木の搬出方法およびこの方法に用いる金具を提供することを目的としている。【解決手段】複数の伐根に、走行誘導ワイヤロープをガイドするガイド機構を備えた金具をそれぞれ固定するとともに、各金具のガイド機構を介して伐根間に走行誘導ワイヤロープを懸け渡し、走行誘導ワイヤロープの走行によって、台車に載った伐採木あるいは走行誘導ワイヤロープに吊り下げ手段を介して吊り下げられた伐採木を搬送することを特徴としている。【選択図】      図７
2005040050.tif 000002
【特許請求の範囲】
【請求項１】
複数の伐根に、走行誘導ワイヤロープをガイドするガイド機構を備えた金具をそれぞれ固定するとともに、各金具のガイド機構を介して伐根間に走行誘導ワイヤロープを懸け渡し、走行誘導ワイヤロープの走行によって、台車に載った伐採木あるいは走行誘導ワイヤロープに吊り下げ手段を介して吊り下げられた伐採木を搬送することを特徴とする伐採木の搬出方法。
【請求項２】
複数の固定ワイヤロープを走行誘導ワイヤロープに平行に走行誘導ワイヤロープを挟むように伐根間に懸け渡すとともに、台車下面に設けられた走行ローラを対応する固定ワイヤロープに下方から受けさせ、かつ、台車の一部を走行誘導ワイヤロープに牽引されるように固定する請求項１に記載の伐採木の搬出方法。
【請求項３】
伐根の対応する部分に切削加工によって形成された放射状をした溝に嵌合する脚部と、この脚部の一部から上方に立ち上がるように設けられた走行誘導ワイヤロープのガイド機構の支柱とを備える請求項１に記載の伐採木の搬出方法に用いる金具。
【請求項４】
伐根の上面に載置される金具本体部材と、この金具本体部材の下面に長手方向にスライド可能に支持され、伐採木の側面に沿って、線状材によって固定される固定脚部材とを備え、
金具本体部材は、その長手方向の中央部上面に走行誘導ワイヤロープのガイド溝を有し、その上面が、短手方向の一方から他方に向かって傾斜するテーパ面になっているとともに、両端に固定ワイヤロープの挿通孔を備えている請求項２に記載の伐採木の搬出方法に用いる金具。
【発明の詳細な説明】
【技術分野】
【０００１】
本発明は、伐採木の搬出方法およびこの方法に用いる金具に関する。
【背景技術】
【０００２】
従来、伐採した伐採木を山林より搬出方法としては、たとえば、図１１に示すように立木Ｔに滑車等のガイド機構を支持させた状態でこのガイド機構間に走行誘導ワイヤロープＲを懸け渡し、この懸け渡された走行誘導ワイヤロープＲに伐採木Ｗを吊り下げて搬送する方法（たとえば、特許文献１等参照）が行われている。また、立木間にワイヤロープを懸け渡し、このワイヤロープに自走式搬器を走行自在に支持させ、この自走式搬器を用いて搬出する方法も行われている。
【特許文献１】特開平１１−３７５５２号公報
【発明の開示】
【発明が解決しようとする課題】
【０００３】
しかしながら、上記のいずれの方法においても、まず、ワイヤロープを立木に懸け渡す必要があり、立木を傷める恐れがあるとともに、ワイヤロープを懸け渡す作業が高所作業になるため、作業性が悪く安全性にも問題がある。
【０００４】
本発明は、上記事情に鑑みて、立木を傷めることなく安全に伐採木を搬出できる伐採木の搬出方法およびこの方法に用いる金具を提供することを目的としている。
【課題を解決するための手段】
【０００５】
上記目的を達成するために、本発明にかかる伐採木の搬出方法は、複数の伐根に、走行誘導ワイヤロープをガイドするガイド機構を備えた金具をそれぞれ固定するとともに、各金具のガイド機構を介して伐根間に走行誘導ワイヤロープを懸け渡し、走行誘導ワイヤロープの走行によって、台車に載った伐採木あるいは走行誘導ワイヤロープに吊り下げ手段を介して吊り下げられた伐採木を搬送することを特徴としている。
また、本発明の搬出方法においては、複数の固定ワイヤロープを走行誘導ワイヤロープに平行に走行誘導ワイヤロープを挟むように伐根間に懸け渡すとともに、台車下面に設けられた走行ローラを対応する固定ワイヤロープに下方から受けさせ、かつ、台車の一部を走行誘導ワイヤロープに牽引されるように固定することができる。
【０００６】
一方、本発明にかかる金具は、伐根の対応する部分に切削加工によって形成された放射状をした溝に嵌合する脚部と、この脚部の一部から上方に立ち上がるように設けられた走行誘導ワイヤロープのガイド機構の支柱とを備えること、あるいは、伐根の上面に載置される金具本体部材と、この金具本体部材の下面に長手方向にスライド可能に支持され、伐採木の側面に沿って、線状材によって固定される固定脚部材とを備え、金具本体部材は、その長手方向の中央部上面に走行誘導ワイヤロープのガイド溝を有し、その上面が、短手方向の一方から他方に向かって傾斜するテーパ面になっているとともに、両端に固定ワイヤロープの挿通孔を備えていることを特徴としている。
【発明の効果】
【０００７】
本発明にかかる伐採木の搬出方法は、以上のように、伐採木に金具を取り付け、この金具を介して走行誘導ロープを張り巡らせるようにしたので、立木を傷めることがないとともに、高所作業の必要がなくなり、安全性が向上する。また、伐倒した木に隣接してワイヤロープ（架線）を張ることが可能になるため、従来、手間を要する作業であった木寄せ作業を最小限にすることができるようになり、伐採木搬出作業にかかるコストの削減が期待できる。
【発明を実施するための最良の形態】
【０００８】
以下に、本発明を、その実施の形態をあらわす図面を参照しつつ詳しく説明する。
図１は、本発明にかかる金具の第１の実施の形態をあらわしている。
【０００９】
図１に示すように、この金具Ａは、鉄などの金属材料で形成されていて、金具本体部材１と、２つの固定脚部材２とを備えている。
金具本体部材１は、基台部１１と、２つの傾斜部１２と、２つのワイヤロープ挿通孔１３と、ガイド機構としての４本のガイドローラ１４とを備えている。
【００１０】
基台部１１は、平面視矩形をしていて、その下面側に断面略Ｔ字形をしたカイドレール１１ａが長手方向に連続して設けられている。
２つの傾斜部１２は、基台部１１の一方の短手側端から他方の短手側端に向かって傾斜するテーパ面１２ａを有し、基台部１１の中央にガイド溝１５を形成し、基台部１１の両端に段部１６を形成するように基台部１１の上面に一体に設けられている。
【００１１】
ワイヤロープ挿通孔１３は、略４半円弧状をした金属棒の一端を傾斜部１２の側面に溶接固定し、他端を基台部１１の上面に溶接固定することによって形成されている。
ガイドローラ１４は、ガイド溝１５の出入口に傾斜部１２のガイド溝１５を臨む壁面に沿ってそれぞれ設けられ、水平方向に回転自在になっている。
【００１２】
固定脚部材２は、それぞれガイド溝１５のスライド自在に嵌合される略Ｔ字形の頭部２１と、この頭部２１から垂下される丸棒からなる脚本体部２２とを備え、脚本体部２２に２つの線条材挿通孔２３が穿設されている。
【００１３】
以下に、この金具Ａを用いた本発明の搬出方法の１例を図２〜図７に基づいて説明する。
すなわち、この搬出方法は、まず、図２に示すように、後述する走行誘導ワイヤロープＲ１を支持する各伐根３ａの上面に、チェーンソー等を用いて２つの金具装着部３１と、走行誘導ワイヤロープＲ１の走行溝３２とを形成する。
【００１４】
なお、２つの金具装着部３１は、その壁面３１ａの高さが金具本体部材１の最大高さと略同じになっている。また、２つの金具装着部３１の壁面３１ａがなす角度は、走行誘導ワイヤロープＲ１の走行方向によって適宜調整される。
【００１５】
つぎに、図３に示すように、各金具Ａの金具本体部材１をそのガイド溝１５が走行溝３２に一致するとともに、傾斜部１２の高さが高い側を金具装着部３１の壁面３１ａに沿うように、金具装着部３１上にそれぞれ載置する。
そして、金具本体部材１のガイドレール１１ａにその両側から固定脚部材２の頭部２１を嵌合し、ガイドレール１１ａに固定脚部材２の固定脚部材２が略伐根３ａの周壁に当接するまでスライド嵌合させたのち、鉄線等の２本の線条材４を４本の固定脚部材２の線条材挿通孔２３に挿通させた状態で伐根３ａの周囲を巻回状態に締め付けて金具Ａを伐根３ａに固定する。
【００１６】
つぎに、図４に示すように、走行誘導ワイヤロープＲ１を、行きが各伐根３ａの走行溝３２および各伐根３ａに固定した金具Ａのガイド溝１５を通るとともに、帰りが伐根３ａに支持されたガイド用滑車６を通るように、搬送駆動手段のモータ駆動する動輪（図示せず）を介してループ状に懸け渡す。
また、固定ワイヤロープＲ２を各金具Ａのワイヤロープ挿通孔１３に挿通させつつ、走行誘導ワイヤロープＲ１に平行に張り巡らせる。
【００１７】
つぎに、図５および図６に示すような台車本体５１と、伐採木支持部５２とを備えた台車５を用意する。
すなわち、台車本体５１は、板状をしていて、その下面の略中心線上に走行誘導ワイヤロープＲ１に固定されるロープ固定部５３が台車本体５１の前後方向に１つずつ計２つ突設されているとともに、固定ワイヤロープＲ２に対応する部分にそれぞれ内壁面に走行ローラ５５を門型に配置した略門型のガイド部５４が各ロープ固定部５３を両側から挟むように突設されている。
【００１８】
伐採木支持部５２は、断面略Ｕ字形をした支持部本体５２ａと、この支持部本体５２ａを台車本体５１の上面に回動自在に支持する軸部５２ｂとを備えている。
そして、図６および図７に示すように、１台の台車５を走行誘導ワイヤロープＲ１の所定位置に配置しロープ固定部５３を走行誘導ワイヤロープＲ１に固定し、ガイド部５４を固定ワイヤロープＲ２上に載せた状態にする。
【００１９】
もう１台の台車５を搬送しようとする伐採木Ｗの長さより少し短いピッチで同様にして
ロープ固定部５３を走行誘導ワイヤロープＲ１に固定し、ガイド部５４を固定ワイヤロープＲ２上に載せた状態にする。
【００２０】
つぎに、伐採木Ｗの一端部を、一方の台車５の支持部本体５２ａに受けさせ、ワイヤロープ等で固定するとともに、伐採木Ｗの他端部を他方の台車５の支持部本体５２ａに受けさせてワイヤロープＲ４で固定する。
そして、搬送駆動手段を駆動して走行誘導ワイヤロープＲ１を搬送方向に連続的に動かして台車５とともに、伐採木Ｗを搬送し、所定の場所まで搬出するようになっている。
【００２１】
なお、台車５は、金具Ａが傾斜部１２を備えているので、伐根３ａのところまでくると、まず、台車本体５１の先端がこの傾斜部１２にあたり傾斜部１２のテーパ面１２ａによって競り上がり、この競り上がりによってガイド部５４が固定ワイヤロープＲ２から一端外れ、ワイヤロープ挿通孔１３の上方を通過し、再び固定ワイヤロープＲ２に受けられるようになっている。
【００２２】
以上のように、上記の搬出方法によれば、伐根３ａに金具Ａを取り付け、この金具Ａを介して走行誘導ワイヤロープＲ１を張り巡らせるようになっているので、高所作業が不要で安全に作業できるとともに、立木を傷めたりすることがない。
また、上記金具Ａを用いれば、上記搬出方法を簡単に実施することができる。
【００２３】
図８は、本発明にかかる金具の他の実施の形態をあらわしている。
図８に示すように、この金具Ｂは、金具本体部材７と、ガイド機構としてのワイヤロープガイド部材８とを備えている。
【００２４】
金具本体部材７は、略板状をして互いに直交するように配置された４枚の嵌合部７１と、この嵌合部７１の上端部を接続し、嵌合部７１が互いに直交した状態を保持するように設けられたリング状補強部７２とを備えている。
各嵌合部７１は、図８および図９に示すように、その上端部に両側に張り出す断面略三角形の突条７５を水平に備え、上端部が断面略楔形をしている。
【００２５】
ワイヤロープガイド部材８は、ガイド用滑車８１と、この滑車８１を支持し、１つの嵌合部７１の側壁面に固定された断面略逆Ｌ字形をした支柱８２とを備えている。
支柱８２は、嵌合部７１への固定部に線条材の挿通孔７３が穿設されている。
なお、上記ガイド用滑車８１としては、特に限定されないが、たとえば、愛媛県農林水産部の間伐技術指針に記載された単線循環式軽架線用特殊滑車などが好適に使用される。
【００２６】
以下に、この金具Ｂを用いた本発明の搬出方法の１例を図８〜図１０に基づいて説明する。
すなわち、この搬出方法は、まず、図８および図９に示すように、後述する走行誘導ワイヤロープＲ３を支持する各伐根３ｂに、チェーンソー等を用いて金具Ｂの嵌合部７１の厚みと略同じ幅で、嵌合部７１の高さ方向に寸法と略同じか少し深い２つの溝３７を直交するように形成する。
【００２７】
つぎに、図９（ａ）に示すように、伐根３ｂの溝３７に嵌合部７１を嵌合させたのち、図９（ｂ）に示すように、挿通孔７３に鉄線等の線条材４を挿通させた状態で伐根３ｂの周囲を巻回状態に締め付けて金具Ｂを伐根３ｂに固定する。
すなわち、嵌合部７１は、突条７５を備え、上端部が断面略楔形をしているので、溝３７への嵌合によって、溝３７にしっかりと嵌まり込むとともに、線条材４の締め込みによって、突条７５が溝３７の壁面に食い込む。したがって、金具Ｂをしっかりと伐根３ｂに固定することができる。
【００２８】
このようにして各伐根３ｂに金具Ｂを固定したのち、図１０に示すように、走行誘導ワイヤロープＲ３を行きが各伐根３ｂの金具Ｂに設けられた滑車８１に懸けられ、帰りが伐根３ｂの同部に直接支持されたガイド用滑車３９を通るように、搬送駆動手段のモータ駆動する動輪（図示せず）を介してループ状に懸け渡す。
そして、図１０に示すように、伐採木Ｗをワイヤロープ等の吊り具９によって走行誘導ワイヤロープＲ３に吊り下げて走行誘導ワイヤロープＲ３を搬送方向に連続的に動かして、伐採木Ｗを搬送し、所定の場所まで搬出するようになっている。
【００２９】
以上のように、上記の搬出方法によれば、伐根３ｂに金具Ｂを取り付け、この金具Ｂを介して走行誘導ワイヤロープＲ３を張り巡らせるようになっているので、高所作業が不要で安全に作業できるとともに、立木を傷めたりすることがない。
また、上記金具Ｂを用いれば、上記搬出方法を簡単に実施することができる。
【００３０】
本発明は、上記の実施の形態に限定されない。たとえば、上記の金具Ａでは、基台部１１が平面視矩形をしていたが、台形等他の形状でも構わない。
また、線条材挿通孔２３が２つであったが、３つ以上でも構わない。
【００３１】
上記金具Ａの場合、脚本体部２２が丸棒で形成されていたが、アングルやＣ型鋼で形成されていても構わない。
上記金具Ａでは２本の固定ワイヤロープＲ２を用いていたが、３本以上でも構わない。
【００３２】
上記金具Ｂの場合、嵌合部７１が４つであったが、３つでも５つ以上でも構わない。
【図面の簡単な説明】
【００３３】
【図１】本発明にかかる金具の１つの実施の形態をあらわす分解斜視図である。
【図２】図１の金具を装着する伐根の加工形状を説明する斜視図である。
【図３】図１の金具の伐根への装着状態をあらわす斜視図である。
【図４】図３の金具が装着された伐根を介して走行誘導ワイヤロープを張り巡らした状態の斜視図である。
【図５】図１の金具を用いた搬出方法に使用される台車の正面図である。
【図６】図５の台車を走行誘導ワイヤロープに固定した状態の斜視図である。
【図７】図１の金具を用いた本発明の搬出方法の１例をあらわす斜視図である。
【図８】本発明にかかる金具の他の実施の形態をあらわす斜視図である。
【図９】図８の金具の伐根への取り付け方法を説明する断面図である。
【図１０】図８の金具を用いた本発明の搬出方法の１例をあらわす斜視図である。
【図１１】従来の伐採木の搬出方法の１例を説明する説明図である。
【符号の説明】
【００３４】
Ａ，Ｂ  金具
Ｒ１，Ｒ３  走行誘導ワイヤロープ
Ｒ２  固定ワイヤロープ
Ｗ  伐採木
１  金具本体部材
１２  傾斜部
１２ａ  テーパ面
１３  ワイヤロープ挿通孔
１４  ガイドローラ（ガイド機構）
１５  ガイド溝
２  固定脚部材
３ａ，３ｂ  伐根
３７  溝
４  線条材
５  台車
５２  ワイヤロープ固定部
５５  走行ローラ
７  金具本体部材
７１  嵌合部
７５  突条
８  ワイヤロープガイド部材（ガイド機構）
８２  支柱
９  吊り下げ手段
【図１】
2005040050.tif 000003
【図２】
2005040050.tif 000004
【図３】
2005040050.tif 000005
【図４】
2005040050.tif 000006
【図５】
2005040050.tif 000007
【図６】
2005040050.tif 000008
【図７】
2005040050.tif 000009
【図８】
2005040050.tif 000010
【図９】
2005040050.tif 000011
【図１０】
2005040050.tif 000012
【図１１】
2005040050.tif 000013